(57)【要約】【課題】低コストでかつ簡単な構造で筒体に対してレンズを高精度で位置調整することができるとともに、レンズの位置調整後にレンズが移動するのを回避することができるレンズの位置調整技術を提供する。【解決手段】レンズ鏡筒は、筒体５と、レンズ２を保持した状態で筒体５の被写体側の端部内周部に嵌合され、複数の係合部３ｂが周方向に間隔をあけて設けられたレンズ枠３と、複数の係合部３ｂの数に対応して設けられ、係合部３ｂに係合する螺旋状のカム面が形成されたカム部４ｊを有して筒体５に回転可能に支持される複数の調整部材４と、を備える。レンズ枠３の外周部には、筒体５を被写体側に押圧することによりレンズ枠３を像面側に付勢するバネ部３ｃが一体に設けられ、カム面を係合部３ｂに係合させた状態で調整部材４を回転させることにより、カム面と係合部３ｂとのカム作用により係合部３ｂを光軸方向に移動させてレンズ２の位置調整を行い、レンズ２の位置調整後、レンズ枠３が筒体５に固定されている。【選択図】図１
2016118613.tif 000002
【特許請求の範囲】
【請求項１】
筒体と、
レンズを保持した状態で前記筒体の被写体側の端部内周部に嵌合され、複数の係合部が周方向に間隔をあけて設けられたレンズ枠と、
前記複数の係合部の数に対応して設けられ、前記係合部に係合する螺旋状のカム面が形成されたカム部を有して前記筒体に回転可能に支持される複数の調整部材と、を備え、
前記レンズ枠の外周部には、前記筒体を被写体側に押圧することにより前記レンズ枠を像面側に付勢するバネ部が一体に設けられ、
前記カム面を前記係合部に係合させた状態で前記調整部材を回転させることにより、前記カム面と前記係合部とのカム作用により前記係合部を光軸方向に移動させて前記レンズの位置調整を行い、前記レンズの位置調整後、前記レンズ枠が前記筒体に固定されていることを特徴とするレンズ鏡筒。
【請求項２】
前記係合部は、前記レンズ枠の周方向に間隔をあけて少なくとも３カ所に設けられていることを特徴とする請求項１に記載のレンズ鏡筒。
【請求項３】
前記レンズの位置調整は、前記レンズを光軸と平行な方向へ移動させるトラッキング調整を含むことを特徴とする請求項１又は２に記載のレンズ鏡筒。
【請求項４】
前記レンズの位置調整は、前記レンズの光軸を基準軸に対して傾ける傾き調整を含むことを特徴とする請求項１乃至３のいずれか一項に記載のレンズ鏡筒。
【請求項５】
前記レンズ枠と前記筒体とは、前記レンズの位置調整後に接着材により固定されていることを特徴とする請求項１乃至４のいずれか一項に記載のレンズ鏡筒。
【請求項６】
前記レンズ枠の外周部には、凹凸部が設けられ、
前記筒体の内周部には、前記レンズ枠の前記凹凸部に対して径方向に対向する凹凸部が設けられ、
前記レンズ枠の前記凹凸部と前記筒体の前記凹凸部との間に前記接着材が充填されていることを特徴とする請求項５に記載のレンズ鏡筒。
【請求項７】
前記バネ部は、
前記レンズ枠の外周部に設けられた接続部に接続されて前記接続部から前記レンズ枠の周方向に沿って延びる第１腕部と、
前記第１腕部の先端から折返し部を介して前記接続部の側に向けて前記レンズ枠の周方向に沿って延びる第２腕部と、を有し、
前記第２腕部には、前記筒体を被写体側に押圧する作用部が設けられていることを特徴とする請求項１乃至６のいずれか一項に記載のレンズ鏡筒。
【請求項８】
前記バネ部は、前記複数の係合部の数に対応して設けられ、前記作用部は、前記レンズ枠の周方向において前記係合部と前記接続部との間に設けられていることを特徴とする請求項７に記載のレンズ鏡筒。
【請求項９】
前記折返し部は、前記作用部と前記係合部との間に設けられ、前記係合部は、前記折返し部の近傍に配置されていることを特徴とする請求項７又は８に記載のレンズ鏡筒。
【請求項１０】
前記第２腕部の先端部と前記筒体の内周部との間には、前記係合部に前記カム部が係合した状態で前記係合する方向と逆の方向の前記レンズ枠の回転を規制する規制手段が設けられていることを特徴とする請求項７乃至９のいずれか一項に記載のレンズ鏡筒。
【請求項１１】
請求項１乃至１０のいずれか一項に記載のレンズ鏡筒を備えることを特徴とする光学機器。
【発明の詳細な説明】
【技術分野】
【０００１】
本発明は、例えばデジタルカメラやデジタルビデオカメラ等の光学機器に搭載されるレンズ鏡筒、及びレンズ鏡筒を備える光学機器に関する。
【背景技術】
【０００２】
デジタルカメラ等の光学機器に搭載されるレンズ鏡筒では、撮影倍率の高倍率化に伴い、レンズの径、特にレンズ群のうち最も被写体側に配置されるレンズの径が大きくなる傾向にある。一方、光学機器の小型化が進むにつれ、必要な光学性能を満足するために個々の筒体に対するレンズの位置調整は、より高精度で行うことが求められている。レンズの位置調整には、例えば、レンズ軸の傾きを調整する傾き調整や隣接するレンズとのレンズ間隔を調整するトラッキング調整などがある。
【０００３】
従来のレンズの位置調整技術としては、位置調整範囲内で移動可能な筒体に対してレンズを保持するレンズ枠を位置決めし、位置決め後、レンズ枠と筒体とを接着剤により固定する技術が提案されている（特許文献１）。この提案では、レンズ枠の位置調整の際には、筒体に取り付けられた調整工具によりレンズの表面の複数個所を押し付け、レンズ枠と筒体との接着後に調整工具が筒体から取り外される。
【先行技術文献】
【特許文献】
【０００４】
【特許文献１】特開２０１０−６６７２０号公報
【発明の概要】
【発明が解決しようとする課題】
【０００５】
しかし、上記特許文献１では、レンズ枠と筒体との接着後にレンズを押し付けている調整工具を取り外した際に、レンズ枠が微小量移動してしまう可能性がある。前述したように、光学機器の小型化が進むにつれて、筒体に対するレンズの位置調整は、より高精度で行うことが求められている。このため、レンズ枠が微小量移動すると、必要な光学性能を確保することができなくなる場合がある。
【０００６】
この場合、レンズ枠を押し付ける調整部材をレンズ鏡筒の内部に配置するとともに、バネ部材によりレンズ枠を常に調整部材に押し付けた状態でレンズ枠と筒体とを接着することで、接着後にレンズ枠が移動してしまうのを回避することが考えられる。しかし、このようにすると、バネ部材等の部品点数や組み立て工数が増えてコスト高を招くと共に、構造が複雑化するという新たな問題が発生する。
【０００７】
そこで、本発明は、低コストでかつ簡単な構造で筒体に対してレンズを高精度で位置調整することができるとともに、レンズの位置調整後にレンズが移動するのを回避することができるレンズの位置調整技術を提供することを目的とする。
【課題を解決するための手段】
【０００８】
上記目的を達成するために、本発明のレンズ鏡筒は、筒体と、レンズを保持した状態で前記筒体の被写体側の端部内周部に嵌合され、複数の係合部が周方向に間隔をあけて設けられたレンズ枠と、前記複数の係合部の数に対応して設けられ、前記係合部に係合する螺旋状のカム面が形成されたカム部を有して前記筒体に回転可能に支持される複数の調整部材と、を備え、前記レンズ枠の外周部には、前記筒体を被写体側に押圧することにより前記レンズ枠を像面側に付勢するバネ部が一体に設けられ、前記カム面を前記係合部に係合させた状態で前記調整部材を回転させることにより、前記カム面と前記係合部とのカム作用により前記係合部を光軸方向に移動させて前記レンズの位置調整を行い、前記レンズの位置調整後、前記レンズ枠が前記筒体に固定されていることを特徴とする。
【発明の効果】
【０００９】
本発明によれば、低コストでかつ簡単な構造で筒体に対してレンズを高精度で位置調整することができるとともに、レンズの位置調整後にレンズが移動するのを回避することができる。
【図面の簡単な説明】
【００１０】
【図１】本発明の実施形態の一例であるレンズ鏡筒を構成する鏡筒部材の分解斜視図である。
【図２】調整レンズを保持するレンズ枠の斜視図である。
【図３】（ａ）は調整部材の斜視図、（ｂ）は（ａ）の背面側から見た斜視図、（ｃ）は（ａ）の底面側から見た斜視図である。
【図４】（ａ）は調整基準枠の斜視図、（ｂ）は（ａ）のＡ部拡大図である。
【図５】調整基準枠に調整レンズを保持するレンズ枠と調整部材を組み込んだ状態を光軸方向被写体側から見た図である。
【図６】調整部材と調整基準枠との位置関係を示す光軸と直交する方向に沿う断面図である。
【図７】図５の状態から調整レンズを位置調整しているときの状態を示す図である。
【図８】図７の光軸方向に沿う断面図である。
【図９】図５の状態から調整レンズを位置調整した後の状態を示す図である。
【図１０】鏡筒部材のレンズ枠の係合部を通る光軸と直交する方向に沿う断面図である。
【発明を実施するための形態】
【００１１】
以下、図面を参照して、本発明の実施形態の一例を説明する。
【００１２】
図１は、本発明の実施形態の一例であるレンズ鏡筒を構成する鏡筒部材の分解斜視図である。なお、本実施形態では、デジタルカメラやデジタルビデオカメラ等の撮像装置を含む光学機器に搭載されるレンズ鏡筒を例に採る。
【００１３】
図１に示すように、本実施形態のレンズ鏡筒を構成する鏡筒部材１０は、カバー部材１、調整レンズ２、レンズ枠３、調整部材４、及び調整基準枠５を有する。本実施形態では、レンズ鏡筒を構成する不図示の他のレンズ群に合わせて、調整レンズ２を光軸と平行な方向へ移動させ、あるいは調整レンズ２の光軸を基準軸に対して傾けることで、必要な光学性能を満たす位置に調整レンズ２を位置決めする。
【００１４】
ここで、以下の説明では、光軸と平行な方向への移動による調整レンズ２の位置調整をトラッキング調整とし、調整レンズ２の光軸を基準軸に対して傾ける位置調整を傾き調整とする。
【００１５】
図２は、調整レンズ２を保持するレンズ枠３の斜視図である。図２に示すように、レンズ枠３の中央の開口部には、調整レンズ２が保持されている。レンズ枠３の外周部には、径方向に外側に突出する延出部３ａが周方向に略等間隔で複数カ所（本実施形態は、少なくとも３カ所）設けられている。また、レンズ枠３の外周部には、半球形状の第１位置規制部３ｉ及び第２位置規制部３ｊがそれぞれ周方向に略等間隔で３カ所ずつ設けられている。
【００１６】
延出部３ａの周方向一側には、調整部材４の後述するカム部４ｊのカム面４ｂ〜４ｆとの係合部３ｂが設けられ、延出部３ａの周方向他側には、樹脂バネ部３ｃが設けられている。係合部３ｂの近傍位置には、第１位置規制部３ｉが配置されている。また、延出部３ａの係合部３ｂと樹脂バネ部３ｃとの間には、凹凸部３ｈが周方向に沿って設けられている。
【００１７】
樹脂バネ部３ｃは、延出部３ａの周方向他側で延出部３ａに接続される接続部３ｄ、接続部３ｄから延出部３ａの周方向一側に延びる第１腕部３ｄ１、及び第１腕部３ｄ１の先端から折返し部３ｅを介して延出部３ａの周方向他側に延びる第２腕部３ｄ２を有する。
【００１８】
折返し部３ｅは、接続部３ｄと係合部３ｂとの間に配置され、折返し部３ｅの周方向一側には、面取り等により形成された誘い込み部３ｋが設けられている。第２腕部３ｄ２は、第１腕部３ｄ１の径方向外側でその先端が接続部３ｄの近傍まで延出されている。第２腕部３ｄ２の中央部には、接続部３ｄより光軸方向被写体側に突出する作用部３ｆが設けられ、第２腕部３ｄ２の先端部には、逆転防止部３ｇが設けられている。
【００１９】
図３（ａ）は調整部材４の斜視図、図３（ｂ）は図３（ａ）の背面側から見た斜視図、図３（ｃ）は図３（ａ）の底面側から見た斜視図である。
【００２０】
調整部材４は、調整レンズ２の外周側に係合部３ｂの数に対応して周方向に略等間隔で３つ配置され、回転させることで、調整レンズ２のトラッキング調整、及び傾き調整を行う。調整部材４は、図３（ａ）乃至図３（ｃ）に示すように、頭部４ｉと、頭部４ｉと同軸配置される回転軸４ａと、頭部４ｉと回転軸４ａとの間に配置され、レンズ枠３の係合部３ｂが係合するカム部４ｊとを有する。
【００２１】
頭部４ｉは、光軸方向被写体側に配置され、カム部４ｊの光軸方向被写体側でカム部４ｊと光軸方向に重なるように設けられている。また、頭部４ｉには、不図示の調整工具が挿入される挿入部４ｇが形成されている。回転軸４ａは、調整基準枠５の後述する穴５ａに回転可能に支持される。
【００２２】
カム部４ｊは、調整部材４の軸周りを略螺旋状に沿いながら頭部４ｉに次第に接近するように順番に配置されるカム面４ｂ〜４ｆを有する。即ち、カム面４ｆは、頭部４ｉに最も接近した位置に配置され、カム面４ｂは、頭部４ｉから最も離れた位置に配置されている。
【００２３】
また、カム面４ｂ〜４ｆのうち、カム面４ｂ、カム面４ｄ、及びカム面４ｆは、調整部材４の軸方向に直交する略平面形状に形成され、周方向の高さが変わらない面になっている。カム面４ｃは、カム面４ｂとカム面４ｄとを滑らかに接続する螺旋状の傾斜面で形成され、カム面４ｅは、カム面４ｄとカム面４ｆとを滑らかに接続する螺旋状の傾斜面で形成されている。
【００２４】
また、図３（ｃ）に示すように、カム部４ｊの光軸方向像面側には、調整部材４の回転を規制する回転規制部４ｈがカム部４ｊの外周部から径方向内側に突出して設けられている。このように、回転規制部４ｈをカム部４ｊの外周部から径方向内側に突出して設けることで、調整部材４の小径化を実現している。
【００２５】
図４（ａ）は調整基準枠５の斜視図、図４（ｂ）は図４（ａ）のＡ部拡大図である。図４（ａ）及び図４（ｂ）に示すように、調整基準枠５は、略円筒体で形成され、被写体側の端部内周部には、調整部材４の回転軸４ａを回転可能に支持する穴５ａが設けられ、穴５ａの近傍には、ストッパ部５ｂが設けられている。
【００２６】
ストッパ部５ｂには、調整部材４の回転規制部４ｈが調整部材４の回転方向に当接する。また、調整基準枠５の被写体側の端部内周部には、レンズ枠３の作用部３ｆが像面側から光軸方向に当接する当接部５ｃが設けられ、当接部５ｃの周方向の一側部には、面取り等により形成された誘い込み部５ｆが設けられている。
【００２７】
また、調整基準枠５の被写体側の端部内周部には、径方向内側に突出する凹凸部５ｄが設けられ、凹凸部５ｄは、調整基準枠５の周方向において、穴５ａと当接部５ｃとの間に配置されている。更に、調整基準枠５の被写体側の端部内周部には、レンズ枠３の逆転防止部３ｇに対応する規制部５ｅが設けられている。穴５ａ、ストッパ部５ｂ、当接部５ｃ、凹凸部５ｄ、規制部５ｅ、及び誘い込み部５ｆは、それぞれ調整基準枠５の周方向に略等間隔で３カ所ずつ配置されている。
【００２８】
図５は、調整基準枠５に調整レンズ２を保持するレンズ枠３と調整部材４を組み込んだ状態を光軸方向被写体側から見た図である。図６は、調整部材４と調整基準枠５との位置関係を示す光軸と直交する方向に沿う断面図である。図７は、図５の状態から調整レンズ２を位置調整しているときの状態を示す図である。図８は、図７の光軸方向に沿う断面図である。図９は、図５の状態から調整レンズ２を位置調整した後の状態を示す図である。
【００２９】
まず、図６を参照して、図６（ａ）は、レンズ枠３の係合部３ｂと調整部材４のカム面４ｂ（図３（ａ）参照）とが係合した状態での調整部材４と調整基準枠５との位置関係を示す断面図である。図６（ｂ）は、レンズ枠３の係合部３ｂと調整部材４のカム面４ｄ（図３（ｂ）参照）とが係合した状態での調整部材４と調整基準枠５との位置関係を示す断面図である。図６（ｃ）は、レンズ枠３の係合部３ｂと調整部材４のカム面４ｆ（図３（ａ）参照）とが係合した状態での調整部材４と調整基準枠５との位置関係を示す断面図である。
【００３０】
調整基準枠５の３箇所の穴５ａには、前述したように、それぞれ調整部材４の回転軸４ａが挿入される。挿入後、３つの調整部材４をそれぞれ時計回り方向に回転させ、図６（ａ）に示すように、調整部材４の回転規制部４ｈを調整基準枠５のストッパ部５ｂに対して回転方向に当接させる。これにより、図５に示すように、３つの調整部材４の位相を揃え、この状態で、調整レンズ２を保持するレンズ枠３を調整基準枠５の被写体側の端部内周部に嵌合する。
【００３１】
その後、レンズ枠３を図５の反時計回りに回転させてレンズ枠３の係合部３ｂを調整部材４のカム面４ｂに係合させ、これにより、図７及び図８に示す状態となる。ここで、レンズ枠３の係合部３ｂと調整部材４は、前述したように、何れも３カ所ずつ設けられ、また、３つの調整部材４の位相を揃えているため、すべての係合部３ｂが調整部材４のカム面４ｂに係合する。
【００３２】
また、図５に示す状態からレンズ枠３を反時計回りに回転させることで、図７に示すように、レンズ枠３の樹脂バネ部３ｃが折返し部３ｅから調整基準枠５の当接部５ｃの像面側に進入する。このとき、前述したように、レンズ枠３には、樹脂バネ部３ｃには、誘い込み部３ｋが設けられ、調整基準枠５の当接部５ｃには、誘い込み部５ｆが設けられているため、レンズ枠３の樹脂バネ部３ｃは、当接部５ｃの像面側の面にスムースに案内される。
【００３３】
また、レンズ枠３の樹脂バネ部３ｃに設けた作用部３ｆは、調整基準枠５の当接部５ｃよりも被写体側に配置されている。このため、樹脂バネ部３ｃが当接部５ｃの像面側に進入することにより、樹脂バネ部３ｃが弾性変形して作用部３ｆが当接部５ｃの像面側の面に当接し、レンズ枠３が調整レンズ２とともに像面側に付勢される。また、レンズ枠３の係合部３ｂは、調整部材４のカム部４ｊに対して像面側に付勢される。
【００３４】
このように、レンズ枠３に一体に設けられた樹脂バネ部３ｃを用いてレンズ枠３を像面側に付勢することにより、別部材の付勢部材を用いなくて済み、部品点数、及び組み立て工数が削減されて低コスト化が可能となる。
【００３５】
また、図５に示す状態からレンズ枠３を反時計回り方向に回転させることで、レンズ枠３の樹脂バネ部３ｃが径方向に弾性変形し、図７に示すように、樹脂バネ部３ｃの逆転防止部３ｇが調整基準枠５の規制部５ｅを乗り越える。これにより、レンズ枠３が時計回り方向に回転することを規制することができる。逆転防止部３ｇは、樹脂バネ部３ｃの第２腕部３ｄ２の先端部に形成されているため、比較的小さい力で規制部５ｅを乗り越えることができ、調整基準枠５に対してレンズ枠３を容易に組み付けることができる。
【００３６】
レンズ枠３を調整基準枠５に組付けた後、調整部材４を回転させてレンズ枠３の位置調整、即ち、調整レンズ２の位置調整を行う。図８に示すように、レンズ枠３を調整基準枠５に組み込むことにより、レンズ枠３の係合部３ｂは、調整部材４のカム面４ｂに係合する。この状態で、不図示の調整工具を調整部材４の頭部４ｉの挿入部４ｇに挿入して調整部材４を回転させる。
【００３７】
レンズ枠３の係合部３ｂは、調整部材４のカム部４ｊに対して像面側に付勢されているため、調整部材４の回転により、レンズ枠３の係合部３ｂは、カム部４ｊの各カム面４ｂ〜４ｆに追従して光軸方向に移動する。そして、カム面４ｂ〜カム面４ｆのうちの最も頭部４ｉに近いカム面４ｆに係合部３ｂが係合している状態では、図６（ｃ）に示すように、調整部材４の回転規制部４ｈが調整基準枠５のストッパ部５ｂに対して回転方向に当接する。
【００３８】
調整レンズ２のトラッキング調整をする際には、３つの調整部材４を同一方向に同一回転角度回転させることで、３箇所の係合部３ｂが同じ量だけ光軸方向に移動する。このため、係合部３ｂの移動に伴い、レンズ枠３が調整レンズ２とともに光軸方向に移動し、これにより、調整レンズ２のトラッキング調整が行われる。
【００３９】
一方、調整レンズ２の傾き調整をする際には、３つの調整部材４の任意の調整部材４を回転させることにより、回転させた調整部材４のカム部４ｊに係合している係合部３ｂのみが光軸方向に移動する。また、回転させない調整部材４のカム部４ｊに係合している係合部３ｂは光軸方向に移動しない。これにより、レンズ枠３の周方向の一部のみが光軸方向に移動してレンズ枠３の光軸に対する傾きが変化し、調整レンズ２の傾き調整が行われる。
【００４０】
このように、本実施形態では、レンズ枠３の樹脂バネ部３ｃを調整基準枠５の当接部５ｃの像面側に当接させることで発生する付勢力により、被写体側から挿入した調整部材４に対してレンズ枠３を像面側に片寄せしている。このため、調整レンズ２の位置調整時に調整部材４が調整基準枠５から脱落せず、容易に調整レンズ２の位置調整を行うことが可能となる。
【００４１】
また、本実施形態では、調整部材４のカム部４ｊのカム面４ｂ〜カム面４ｆとレンズ枠３の係合部３ｂとのカム作用を利用して調整レンズ２のトラッキング調整と傾き調整を行う。このため、調整部材４のカム部４ｊのカム面４ｂとカム面４ｄとの光軸方向の段差量、及びカム面４ｄとカム面４ｆとの光軸方向の段差量は、所定のトラッキング調整量と傾き調整量とを加えた量と同一以上となっている。
【００４２】
なお、レンズ枠３の係合部３ｂがカム面４ｂに係合している場合でも、レンズ枠３の樹脂バネ部３ｃの作用部３ｆは、調整基準枠５の当接部５ｃの像面側の面を被写体側に押圧するように配置されている。これにより、レンズ枠３が最も像面側にある場合でも、レンズ枠３の係合部３ｂは、調整部材４のカム面４ｂに対して像面側に片寄せされる。
【００４３】
また、調整部材４のカム部４ｊのカム面４ｂとカム面４ｆとの光軸方向の段差量だけレンズ枠３は光軸方向に移動するが、レンズ枠３の樹脂バネ部３ｃの作用部３ｆもレンズ枠３の移動に伴って移動する。すなわち、レンズ枠３の作用部３ｆと調整基準枠５の当接部５ｃの光軸方向の位置の差もレンズ枠３の移動に伴って変化し、樹脂バネ部３ｃの弾性変形による付勢力も変化する。
【００４４】
ところで、レンズ枠３の係合部３ｂが調整部材４のカム面４ｂに係合している状態でも、レンズ枠３に対して像面側への一定の付勢力が必要である。一方、レンズ枠３の係合部３ｂが調整部材４のカム面４ｆに係合している状態では、樹脂バネ部３ｃに過剰な応力が加わることを避ける必要がある。そのため、樹脂バネ部３ｃのばね定数を小さくすべく、樹脂バネ部３ｃの長さを長くする必要があるが、樹脂バネ部３ｃの長さを長くすると、レンズ枠３の大型化を招くことになる。
【００４５】
そこで、本実施形態では、第１腕部３ｄ１と第２腕部３ｄ２とを折返し部３ｅで接続して折り返し形状の樹脂バネ部３ｃとすることで、周方向及び径方向ともに樹脂バネ部３ｃを小さくすることを可能としている。また、樹脂バネ部３ｃの接続部３ｄを係合部３ｂから周方向に遠い位置に配置している。これにより、樹脂バネ部３ｃの弾性変形に起因して接続部３ｄが弾性変形しても、接続部３ｄの弾性変形が係合部３ｂに与える影響を小さくすることができる。
【００４６】
また、調整部材４のカム部４ｊのカム面４ｂ，４ｄ，４ｆは、前述したように、それぞれ調整部材４の軸方向に直交する略平面形状に形成され、周方向の高さが変わらない面になっている。このため、カム面４ｂ，４ｄ，４ｆのいずれかの面に係合部３ｂが係合した状態で調整部材４を回転させても、レンズ枠３の光軸方向の位置を一定に保つことができる。例えば、カム面４ｂ，４ｄ，４ｆの３面があれば調整レンズ２の位置調整が可能である場合などに、３つの調整部材４の回転量のずれが許容されるため、位置調整が容易となる。
【００４７】
また、前述したように、係合部３ｂがカム面４ｂに係合している状態で回転規制部４ｈを調整基準枠５のストッパ部５ｂに対して回転方向に当接させて調整部材４の回転範囲を規制することで、調整部材４の組み立て時の位置決めを可能にしている。更に、係合部３ｂがカム面４ｆに係合している状態で回転規制部４ｈを調整基準枠５のストッパ部５ｂに対して回転方向に当接させて調整部材４の回転範囲を規制することで、カム面４ｆからカム面４ｂに係合部３ｂが脱落するのを防止している。
【００４８】
調整レンズ２のラッキング調整と傾き調整を行った後、図９に示すように、レンズ枠３と調整基準枠５との間に接着材６を充填してレンズ枠３を調整基準枠５に固定する。その際、レンズ枠３の凹凸部３ｈと調整基準枠５の凹凸部５ｄとは径方向に対向配置され、凹凸部３ｈと凹凸部５ｄとの間にも接着材６が充填される。これにより、接着材６が付着する表面積が増加し、レンズ枠３と調整基準枠５の接着強度を高めることができる。
【００４９】
また、レンズ枠３の凹凸部３ｈは、係合部３ｂと樹脂バネ部３ｃとの間に配置され、調整基準枠５の凹凸部５ｄは、穴５ａと当接部５ｃの間に配置されている。これにより、調整基準枠５に対してレンズ枠３を回転させて組み付ける際に凹凸部３ｈ，５ｄが邪魔にならず、レンズ枠３及び調整基準枠５を大型化させることなく、レンズ枠３と調整基準枠５との接着強度を向上させることができる。
【００５０】
本実施形態では、図９に示すように、レンズ枠３と調整基準枠５との接着に加えて、調整基準枠５と調整部材４を接着するとともに、レンズ枠３と調整部材４も接着している。なお、レンズ枠３の樹脂バネ部３ｃについては、組みばらしによる樹脂バネ部３ｃの破損を防ぐため、接着材６を塗布しないようにするのが望ましい。
【００５１】
レンズ枠３を調整基準枠５に固定した後、カバー部材１を調整基準枠５に取り付け、接着材６の外観への露出を防止する。
【００５２】
このように、本実施形態では、調整レンズ２の位置を調整する調整部材４をレンズ鏡筒の内部に配置するとともに、レンズ枠３の樹脂バネ部３ｃの付勢力によってレンズ枠３を常に調整部材４に押し付けた状態でレンズ枠３を調整基準枠５に接着により固定している。そして、接着後も、樹脂バネ部３ｃの付勢力は、レンズ枠３に対して作用し続けるため、接着後にレンズ枠３が移動してしまうことを防ぐことができる。
【００５３】
次に、図１０を参照して、レンズ枠３の光軸と直交する方向の位置規制について説明する。図１０は、鏡筒部材１０のレンズ枠３の係合部３ｂを通る光軸と直交する方向に沿う断面図である。
【００５４】
前述したように、レンズ枠３の光軸方向の位置は、係合部３ｂが係合する調整部材４のカム面４ｂ〜４ｆにより決定される。一方、レンズ枠３の光軸と直交する方向の位置は、レンズ枠３の外周部に３カ所ずつ設けられている第１位置規制部３ｉ及び第２位置規制部３ｊと調整基準枠５とによって決定される。
【００５５】
図１０に示すように、レンズ枠３の第１位置規制部３ｉ及び第２位置規制部３ｊは、調整基準枠５の内周面に当接する。このとき、第１位置規制部３ｉ及び第２位置規制部３ｊは、何れも半球形状となっているため、調整レンズ２のトラッキング調整及び傾き調整を行った場合にも、調整基準枠５の内周面に対して滑らかに追従する。
【００５６】
ところで、調整部材４を反時計回り方向に回すことでカム部４ｊに対するレンズ枠３の係合部３ｂの係合位置が被写体側に移動するが、このときレンズ枠３は矢印Ａ方向に力を受ける。このため、レンズ枠３が矢印Ａ方向に移動してレンズ枠３と調整基準枠５との間に隙間が発生し、調整レンズ２が偏心するおそれがあるが、本実施形態では、光軸中心から第１位置規制部３ｉの頂点を結ぶ直線の方向が矢印Ａ方向と略同一方向になっている。これにより、レンズ枠３が矢印Ａ方向に移動するのを回避してレンズ枠３と調整基準枠５との間に隙間が発生することを防ぎ、調整レンズ２の偏心を防いでいる。
【００５７】
また、調整部材４を時計回り方向に回すことでカム部４ｊに対するレンズ枠３の係合部３ｂの係合位置が像面側に移動するが、このときレンズ枠３は矢印Ｂ方向に力を受ける。このため、レンズ枠３が矢印Ｂ方向に移動してレンズ枠３と調整基準枠５との間に隙間が発生し、調整レンズ２が偏心するおそれがあるが、本実施形態では、光軸中心から第２位置規制部３ｊの頂点を結ぶ直線の方向が矢印Ｂ方向と略同一方向になっている。これにより、レンズ枠３が矢印Ｂ方向に移動するのを回避してレンズ枠３と調整基準枠５との間に隙間が発生することを防ぎ、調整レンズ２の偏心を防いでいる。
【００５８】
以上説明したように、本実施形態では、低コストでかつ簡単な構造で調整基準枠５に対して調整レンズ２を高精度で位置調整することができるとともに、調整レンズ２の位置調整後に調整レンズ２が移動するのを回避することができる。
【００５９】
なお、本発明は、上記実施形態に例示したものに限定されるものではなく、材質、形状、寸法、形態、数、配置箇所等は、本発明の要旨を逸脱しない範囲において適宜変更可能である。
【００６０】
例えば、上記実施形態では、レンズ枠３に半球形状の位置規制部３ｉ，３ｊを設け、調整基準枠５の内周面に当接させる場合を例示したが、調整基準枠５の内周面に位置規制部３ｉ，３ｊを設けてレンズ枠３の外周面に当接させるようにしてもよい。
【００６１】
また、上記実施形態では、調整部材４のカム部４ｊをカム面４ｂ〜４ｆにより構成しているが、カム部４ｊの構成は、調整レンズ２の位置調整が可能な限りにおいて、適宜変更可能である。例えば、カム面４ｂ〜４ｆは、調整部材４の中心から放射状に傾斜させているが、必ずしも傾斜させる必要はなく、平面であってもよい。
【００６２】
また、上記実施形態では、調整部材４の軸方向に直交する略平面形状に形成されて周方向の高さが変わらないカム面４ｂ，４ｄ，４ｆを設けているが、カム面４ｂ，４ｄ，４ｆの数や位置は任意であり、また、必ずしもカム面４ｂ，４ｄ，４ｆを設ける必要はない。調整部材４の軸方向に螺旋状の連続する傾斜面を形成してカム面としてもよい。
【符号の説明】
【００６３】
２  調整レンズ
３  レンズ枠
３ｂ  係合部
３ｃ  樹脂バネ部
３ｆ  作用部
４  調整部材
４ｊ  カム部
４ｂ〜４ｆ  カム面
５  調整基準枠
５ｃ  当接部
１０  鏡筒部材
【図１】
2016118613.tif 000003
【図２】
2016118613.tif 000004
【図３】
2016118613.tif 000005
【図４】
2016118613.tif 000006
【図５】
2016118613.tif 000007
【図６】
2016118613.tif 000008
【図７】
2016118613.tif 000009
【図８】
2016118613.tif 000010
【図９】
2016118613.tif 000011
【図１０】
2016118613.tif 000012